(57)【要約】【課題】録画再生機器に録画されている番組、又は現在放送中の番組のどちらかを特定することなく、現在視聴可能な番組を探す場合、録画再生機器に保存されている番組情報および現在放送中の番組情報を用いて、それぞれ個別に検索することなく、ユーザが所望する現在視聴可能な番組を１つの画面上に同時表示可能な番組情報検索装置を提供する。【解決手段】接続機器を検出する手段と、録画番組情報を記録する手段と、放送中およびこれから放送される番組情報を記録する手段と、記録された番組情報を利用して番組検索を行う手段と、検索結果を表示する手段とを具備する。【選択図】図１
2005341102.tif 000002
【特許請求の範囲】
【請求項１】
接続機器を検出する手段と、録画番組情報を記録する手段と、放送中およびこれから放送される番組情報を記録する手段と、記録された番組情報を利用して番組検索を行う手段と、検索結果を表示する手段とを具備することを特徴とする番組情報検索装置。
【請求項２】
前記録画番組情報を記録する手段において、検出した接続機器を分類する手段と、分類した接続機器を用いて録画した番組の番組情報を記録する手段とを具備することを特徴とする請求項１記載の番組情報検索装置。
【請求項３】
前記録画番組情報を記録する手段において、検出した接続機器を再生した時に送出される録画番組情報を受信側で記録する手段を具備することを特徴とする請求項１記載の番組情報検索装置。
【請求項４】
前記録画番組情報を記録する手段において、検出した接続機器を分類する手段と、分類した接続機器を再生した時に送出される録画番組情報を受信側で記録する手段とを具備することを特徴とする請求項１記載の番組情報検索装置。
【請求項５】
前記録画番組情報を記録する手段において、既に記録済みの番組情報かどうかを判断し、既に記録済みであれば記録しない手段を具備することを特徴とする請求項１記載の番組情報検索装置。
【請求項６】
接続機器を検出するステップと、録画番組情報を記録するステップと、放送中およびこれから放送される番組情報を記録するステップと、記録された番組情報を利用して番組検索を行うステップと、検索結果を表示するステップとを具備することを特徴とする番組情報検索方法。
【請求項７】
前記録画番組情報を記録するステップにおいて、検出した接続機器を分類するステップと、分類した接続機器を用いて録画した番組の番組情報を記録するステップとを具備することを特徴とする請求項６記載の番組情報検索方法。
【請求項８】
前記録画番組情報を記録するステップにおいて、検出した接続機器を再生した時に送出される録画番組情報を受信側で記録するステップを具備することを特徴とする請求項６記載の番組情報検索方法。
【請求項９】
前記録画番組情報を記録するステップにおいて、検出した接続機器を分類するステップと、分類した接続機器を再生した時に送出される録画番組情報を受信側で記録するステップとを具備することを特徴とする請求項６記載の番組情報検索方法。
【請求項１０】
前記録画番組情報を記録するステップにおいて、既に記録済みの番組情報かどうかを判断し、既に記録済みであれば記録しないステップを具備することを特徴とする請求項６記載の番組情報検索方法。
【発明の詳細な説明】
【技術分野】
【０００１】
本発明は、番組情報検索装置及びその方法に関するものである。
【背景技術】
【０００２】
従来、録画再生機器に映像を録画する際に、当該番組の電子番組情報も記録し、この番組情報を用いて、ユーザが所望する番組を簡単かつ手軽に検索できるという装置がある（例えば、特許文献１参照）。また、現在放送中の番組情報を用いて、ユーザが所望する番組を簡単かつ手軽に検索できることは公知である。
【特許文献１】国際公開第００／０２３８６号パンフレット
【発明の開示】
【発明が解決しようとする課題】
【０００３】
従来は、録画再生機器に保存されている番組情報および現在放送中の番組情報を用いて、それぞれ個別に、ユーザが所望する番組を簡単かつ手軽に検索し、表示することは可能であったが、録画再生機器に保存されている番組情報および現在放送中の番組情報を用いて、ユーザが所望する現在視聴可能な番組を１つの画面上に同時に表示することはできなかった。
【０００４】
本発明は、ユーザが、録画再生機器に録画されている番組、または、現在放送中の番組のどちらかを特定することなく、現在視聴可能な番組を探す場合、録画再生機器に保存されている番組情報および現在放送中の番組情報を用いて、それぞれ個別に検索することなく、ユーザが所望する現在視聴可能な番組を１つの画面上に同時に表示可能な番組情報検索装置及びその方法を提供することを目的とする。
【課題を解決するための手段】
【０００５】
本発明の請求項１に係る番組情報検索装置は、接続機器を検出する手段と、録画番組情報を記録する手段と、放送中およびこれから放送される番組情報を記録する手段と、記録された番組情報を利用して番組検索を行う手段と、検索結果を表示する手段とを具備することを特徴とする。
【０００６】
また、本発明の請求項２に係る番組情報検索装置は、請求項１の番組情報装置の構成において、検出した接続機器を分類する手段と、分類した接続機器を用いて録画した番組の番組情報を記録する手段とを具備することを特徴とする。
【０００７】
また、本発明の請求項３に係る番組情報検索装置は、請求項１の番組情報検索装置の構成において、検出した接続機器を再生した時に送出される録画番組情報を受信側で記録する手段を具備することを特徴とする。
【０００８】
また、本発明の請求項４に係る番組情報検索装置は、請求項１の番組情報検索装置の構成において、検出した接続機器を分類する手段と、分類した接続機器を再生した時に送出される録画番組情報を受信側で記録する手段とを具備することを特徴とする。
【０００９】
また、本発明の請求項５に係る番組情報検索装置は、請求項１の番組情報検索装置の構成において、既に記録済みの番組情報かどうかを判断し、既に記録済みであれば記録しない手段を具備することを特徴とする。
【００１０】
また、本発明の請求項６に係る番組情報検索方法は、接続機器を検出するステップと、録画番組情報を記録するステップと、放送中およびこれから放送される番組情報を記録するステップと、記録された番組情報を利用して番組検索を行うステップと、検索結果を表示するステップとを具備することを特徴とする。
【００１１】
また、本発明の請求項７に係る番組情報検索方法は、請求項６の番組情報検索方法の構成において、検出した接続機器を分類するステップと、分類した接続機器を用いて録画した番組の番組情報を記録するステップとを具備することを特徴とする。
【００１２】
また、本発明の請求項８に係る番組情報検索方法は、請求項６の番組情報検索方法の構成において、検出した接続機器を再生した時に送出される録画番組情報を受信側で記録するステップを具備することを特徴とする。
【００１３】
また、本発明の請求項９に係る番組情報検索方法は、請求項６の番組情報検索方法の構成において、検出した接続機器を分類するステップと、分類した接続機器を再生した時に送出される録画番組情報を受信側で記録するステップとを具備することを特徴とする。
【００１４】
また、本発明の請求項１０に係る番組情報検索方法は、請求項６の番組情報検索方法の構成において、既に記録済みの番組情報かどうかを判断し、既に記録済みであれば記録しないステップを具備することを特徴とする。
【発明の効果】
【００１５】
本発明により、録画再生機器に保存されている番組情報および現在放送中の番組情報を１つの画面上に表示することが可能となる。
【発明を実施するための最良の形態】
【００１６】
（実施の形態１）
図１は、本発明の実施の形態１に係る番組情報検索装置の構成を示すブロック図である。１００は番組情報検索装置を有するテレビ受信機、１０は映像を録画および再生することが可能な録画再生機器、２０は接続機器を検出する接続機器検出部、３０は録画番組情報を記録する録画番組情報記録部、４０は放送中およびこれから放送される番組情報を記録する放送中番組情報記録部、５０は記録された番組情報を利用して番組検索を行う番組情報検索部、６０は検索結果を表示する番組情報表示部である。
【００１７】
次に、本発明の番組情報検索および表示処理について、図２に示すフローチャートを用いて説明する。
【００１８】
テレビ受信機１００において、録画再生機器１０を特定する情報を接続機器検出部２０で検出する（ステップ２１０）。録画再生機器１０で録画または再生する番組情報を録画番組情報記録部３０で記録する（ステップ２２０）。放送中およびこれから放送される番組情報を放送中番組情報記録部４０に記録する（ステップ２３０）。番組検索時に、番組情報検索部５０は、録画番組情報記録部３０および放送中番組情報記録部４０で記録された番組情報を検索し（ステップ２４０、ステップ２４５）、番組情報表示部６０にて検索結果を一覧表示する（ステップ２５０）。
【００１９】
（実施の形態２）
図３は、本発明の実施の形態２に係る番組情報検索装置の構成を示すブロック図である。１００は番組情報検索装置を有するテレビ受信機、１０および１５は映像を録画および再生することが可能な録画再生機器、２０は接続機器を検出する接続機器検出部、２５は複数の接続機器情報を分類する接続機器分類部、３０は録画番組情報を記録する録画番組情報記録部、４０は放送中およびこれから放送される番組情報を記録する放送中番組情報記録部、５０は記録された番組情報を利用して番組検索を行う番組情報検索部、６０は検索結果を表示する番組情報表示部である。
【００２０】
次に、本発明の番組情報検索および表示処理について、図４に示すフローチャートを用いて説明する。
【００２１】
テレビ受信機１００において、録画再生機器１０および録画再生機器１５を特定する情報を接続機器検出部２０で検出する（ステップ４１０）。接続機器検出部２０で検出された録画再生機器を分類する（ステップ４１５）。録画再生機器１０または録画再生機器１５で録画または再生する番組情報を録画番組情報記録部３０で記録する（ステップ４２０）。放送中およびこれから放送される番組情報を放送中番組情報記録部４０に記録する（ステップ４３０）。番組検索時に、番組情報検索部５０は、録画番組情報記録部３０および放送中番組情報記録部４０で記録された番組情報を検索し（ステップ４４０、ステップ４４５）、番組情報表示部６０にて検索結果を一覧表示する（ステップ４５０）。
【００２２】
（実施の形態３）
図５は、本発明の実施の形態３に係る番組情報検索装置の構成を示すブロック図である。１００は番組情報検索装置を有するテレビ受信機、１０および１５は映像を録画および再生することが可能な録画再生機器、２０は接続機器を検出する接続機器検出部、２５は複数の接続機器情報を分類する接続機器分類部、７０は記録しようとする番組情報が既に記録されているか記録されていないかを判定する既存番組情報判定部、３０は録画番組情報を記録する録画番組情報記録部、４０は放送中およびこれから放送される番組情報を記録する放送中番組情報記録部、５０は記録された番組情報を利用して番組検索を行う番組情報検索部、６０は検索結果を表示する番組情報表示部である。
【００２３】
次に、本発明の番組情報検索および表示処理について、図６に示すフローチャートを用いて説明する。
【００２４】
テレビ受信機１００において、録画再生機器１０および録画再生機器１５を特定する情報を接続機器検出部２０で検出する（ステップ６１０）。接続機器検出部２０で検出された録画再生機器を分類する（ステップ６１５）。録画再生機器１０または録画再生機器１５で録画または再生する番組情報が既に録画番組情報記録部３０で記録されているか記録されていないかを既存番組情報判定部７０で判定する（ステップ６１６）。記録されていないと判定された場合は、録画再生機器１０または録画再生機器１５で録画または再生する番組情報を録画番組情報記録部３０で記録する（ステップ６２０）。放送中およびこれから放送される番組情報を放送中番組情報記録部４０に記録する（ステップ６３０）。番組検索時に、番組情報検索部５０は、録画番組情報記録部３０および放送中番組情報記録部４０で記録された番組情報を検索し（ステップ６４０、ステップ６４５）、番組情報表示部６０にて検索結果を一覧表示する（ステップ６５０）。
【産業上の利用可能性】
【００２５】
本発明の番組情報検索装置及びその方法は、録画再生機器に保存されている番組情報および現在放送中の番組情報を１つの画面上に表示することができ、番組情報をユーザに提供する機器として有用である。
【図面の簡単な説明】
【００２６】
【図１】本発明の実施の形態１における番組情報検索装置の構成を示すブロック図
【図２】本発明の実施の形態１における番組情報検索および表示処理を示すフローチャート
【図３】本発明の実施の形態２における番組情報検索装置の構成を示すブロック図
【図４】本発明の実施の形態２における番組情報検索および表示処理を示すフローチャート
【図５】本発明の実施の形態３における番組情報検索装置の構成を示すブロック図
【図６】本発明の実施の形態３における番組情報検索および表示処理を示すフローチャート
【符号の説明】
【００２７】
１００    テレビ受信機
１０    録画再生機器
１５    録画再生機器
２０    接続機器検出部
３０    録画番組情報記録部
４０    放送中番組情報記録部
５０    番組情報検索部
６０    番組情報表示部
７０    番組情報表示部
【図１】
2005341102.tif 000003
【図２】
2005341102.tif 000004
【図３】
2005341102.tif 000005
【図４】
2005341102.tif 000006
【図５】
2005341102.tif 000007
【図６】
2005341102.tif 000008